(57)【要約】      （修正有）【課題】高強度アルミニウム合金太陽エネルギーモジュールフレームを提供する。【解決手段】主に枠フレーム体１０、Ｉ型サポート板２０を含む。該枠フレーム体にはサポート板係合槽１１及び板体係合部１２を設置し、該板体係合部は係合固定凸部１２０を設置する。該Ｉ型サポート板は該枠フレーム体が設置するサポート板係合槽に設置し、これにより該Ｉ型サポート板は効果的に外力に抵抗可能である。使用時には太陽エネルギー板３０を該枠フレーム体の板体係合部に設置し、しかも該太陽エネルギー板の上、下側は該板体係合部が設置する係合固定凸部により押上げられて固定され、こうして固定を確実にし、外力に対する高い抵抗力を達成する。【選択図】図２
0003135643.tif 000002
【実用新案登録請求の範囲】
【請求項１】
太陽エネルギーモジュールフレームであって、該枠フレーム体が高強度アルミニウム合金により製造されることを特徴とする、高強度アルミニウム合金太陽エネルギーモジュールフレーム。
【請求項２】
枠フレーム体と、Ｉ型サポート板とを含み、
該枠フレーム体にはサポート板係合槽及び板体係合部を設置し、該板体係合部には係合固定凸部を設置し、
該Ｉ型サポート板は該枠フレーム体が設置するサポート板係合槽にスライド移動設置する一方、
該枠フレーム体及び該Ｉ型サポート板は高強度アルミニウム合金により製造されることを特徴とする、高強度アルミニウム合金太陽エネルギーモジュールフレーム。
【請求項３】
前記高強度アルミニウム合金はアルミニウム合金７０５０であることを特徴とする、請求項２記載の高強度アルミニウム合金太陽エネルギーモジュールフレーム。
【請求項４】
前記高強度アルミニウム合金はアルミニウム合金７０７５であることを特徴とする、請求項２記載の高強度アルミニウム合金太陽エネルギーモジュールフレーム。
【請求項５】
前記高強度アルミニウム合金はアルミニウム合金７１５０であることを特徴とする、請求項２記載の高強度アルミニウム合金太陽エネルギーモジュールフレーム。
【請求項６】
前記高強度アルミニウム合金はアルミニウム合金７１７５であることを特徴とする、請求項２記載の高強度アルミニウム合金太陽エネルギーモジュールフレーム。
【請求項７】
前記高強度アルミニウム合金はアルミニウム合金７４７５であることを特徴とする、請求項２記載の高強度アルミニウム合金太陽エネルギーモジュールフレーム。
【考案の詳細な説明】
【技術分野】
【０００１】
本考案は一種の高強度アルミニウム合金太陽エネルギーモジュールフレームに係り、特に一種の太陽エネルギー板周辺枠の係合固定に応用する高強度アルミニウム合金太陽エネルギーモジュールフレームに関する。
【背景技術】
【０００２】
現在公知の太陽エネルギーモジュールフレームは図５、６に示すように、フレーム体５０内にサポート板５１を溶接し、別に該フレーム体５０の下方にはＵ型の板体嵌合部５２を設置する。使用時には太陽エネルギー板３０を該フレーム体５０下方に設置する板体嵌合部５２に設置し、こうして該太陽エネルギー板３０を固定する。
【０００３】
該公知構造は太陽エネルギーモジュールフレームの固定の機能を果たすことはできるが、依然として以下の欠点が存在する。
１．固定が不確実である。即ち、Ｕ型の板体嵌合部により太陽エネルギー板を係合固定するため、太陽エネルギー板をＵ型の板体嵌合部に設置後、なお隙間が存在し固定が不確実である。
２．外力に対する抵抗強度が低い。即ち、サポート板は溶接方式によりフレーム体内に設置されるため、フレーム体が押し引きの圧力作用を受けると、サポート板とフレーム体の溶接位置はそれを受けとめることができず、サポート板とフレーム体は断裂し、予期の機能と効果を達成することができない。
【考案の開示】
【考案が解決しようとする課題】
【０００４】
本考案は上記問題に鑑み、公知の太陽エネルギーモジュールフレームが効果的に太陽エネルギー板を固定できず、外力に対する抵抗強度が低いという問題を改善するため、本考案高強度アルミニウム合金太陽エネルギーモジュールフレームを開発する。
【課題を解決するための手段】
【０００５】
上記課題を解決するため、本考案は下記の高強度アルミニウム合金太陽エネルギーモジュールフレームを提供する。
それは主に高強度アルミニウム合金太陽エネルギーモジュールフレームを提供し、枠フレーム体、Ｉ型サポート板を含み、該枠フレーム体にはサポート板係合槽及び板体係合部を設置し、該板体係合部には係合固定凸部を設置し、該Ｉ型サポート板は該枠フレーム体が設置するサポート板係合槽に設置し、これにより該Ｉ型サポート板は効果的に外力に抵抗可能で、使用時には太陽エネルギー板を該枠フレーム体の板体係合部に設置し、しかも太陽エネルギー板の上、下側は該板体係合部が設置する係合固定凸部により押上げられ固定され、しかも該枠フレーム体及びＩ型サポート板は高強度アルミニウム合金により製造され、こうして固定を確実にし、外力に対する高い抵抗力を達成する高強度アルミニウム合金太陽エネルギーモジュールフレームを提供する。
【考案の効果】
【０００６】
上記のように、本考案は固定を確実にし、外力に対する高い抵抗力を達成する。
【考案を実施するための最良の形態】
【０００７】
本考案の前記の及び他の技術内容、特徴と機能について、以下に図を用い、最適実施例について詳細に説明する。但し、本図例が説明する実施例は説明に供するのみで、本考案を限定するものではない。
【０００８】
本考案高強度アルミニウム合金太陽エネルギーモジュールフレームの立体組合せ、分解及び断面状態指示図である図１〜３に示すように、本考案高強度アルミニウム合金太陽エネルギーモジュールフレームは枠フレーム体１０、Ｉ型サポート板２０を含む。
【０００９】
該枠フレーム体１０にはサポート板係合槽１１及び板体係合部１２を設置し、該板体係合部１２には係合固定凸部１２０を設置する。
【００１０】
該Ｉ型サポート板２０は該枠フレーム体１０が設置するサポート板係合槽１１においてスライド移動設置する。
【００１１】
該枠フレーム体１０及び該Ｉ型サポート板２０は高強度アルミニウム合金７０５０、７０７５、７１５０、７１７５、７４７５により製造される。
【００１２】
上記構造の組み合わせにより本考案高強度アルミニウム合金太陽エネルギーモジュールフレームを完成する。
【００１３】
本考案高強度アルミニウム合金太陽エネルギーモジュールフレームの立体分解及び使用状態参考図である図２、４に示すように、太陽エネルギー板３０を該枠フレーム体１０が設置する板体係合部１２に設置し、これにより該太陽エネルギー板３０の上、下両側は該板体係合部１２が設置する係合固定凸部１２０により押上げられ係合される。また該枠フレーム体１０外側には数個の固定穿孔１３を設置し、該４本の枠フレーム体１０を対応させた後、固定部品４０により固定し、確実な固定の機能と効果を達成する。
上記のように、本考案は上記諸機能及び目的を確実に達成可能で、実用新案登録要件を満たす。
【図面の簡単な説明】
【００１４】
【図１】本考案の立体組合せ状態指示図である。
【図２】本考案の立体分解状態指示図である。
【図３】本考案の断面状態指示図である。
【図４】本考案の使用状態参考図である。
【図５】本考案の公知状態参考図である。
【図６】本考案の公知状態断面指示図である。
【符号の説明】
【００１５】
１０  枠フレーム体
１１  サポート板係合槽
１２  板体係合部
１２０  係合固定凸部
１３  固定穿孔
２０  Ｉ型サポート板
３０  太陽エネルギー板
４０  固定部品
５０  フレーム体
５１  サポート板
５２  板体嵌合部
【図１】
0003135643.tif 000003
【図２】
0003135643.tif 000004
【図３】
0003135643.tif 000005
【図４】
0003135643.tif 000006
【図５】
0003135643.tif 000007
【図６】
0003135643.tif 000008
【手続補正書】
【提出日】平成19年7月5日(2007.7.5)
【手続補正１】
【補正対象書類名】実用新案登録請求の範囲
【補正対象項目名】全文
【補正方法】変更
【補正の内容】
【実用新案登録請求の範囲】
【請求項１】
枠フレーム体と、Ｉ型サポート板とを含み、
該枠フレーム体にはサポート板係合槽及び板体係合部を設置し、該板体係合部には係合固定凸部を設置し、
該Ｉ型サポート板は該枠フレーム体が設置するサポート板係合槽にスライド移動するように設置することを特徴とする、高強度アルミニウム合金から成る太陽エネルギーモジュールフレーム。
【請求項２】
前記枠フレーム体と、Ｉ型サポート板が、アルミニウム合金７０５０ので高強度アルミニウム合金から成ることを特徴とする、請求項１記載の高強度アルミニウム合金から成る太陽エネルギーモジュールフレーム。
【請求項３】
前記枠フレーム体と、Ｉ型サポート板が、アルミニウム合金７０７５ので高強度アルミニウム合金から成ることを特徴とする、請求項１記載の高強度アルミニウム合金から成る太陽エネルギーモジュールフレーム。
【請求項４】
前記枠フレーム体と、Ｉ型サポート板が、アルミニウム合金７１５０ので高強度アルミニウム合金から成ることを特徴とする、請求項１記載の高強度アルミニウム合金から成る太陽エネルギーモジュールフレーム。
【請求項５】
前記枠フレーム体と、Ｉ型サポート板が、アルミニウム合金７１７５ので高強度アルミニウム合金から成ることを特徴とする、請求項１記載の高強度アルミニウム合金から成る太陽エネルギーモジュールフレーム。
【請求項６】
前記枠フレーム体と、Ｉ型サポート板が、アルミニウム合金７４７５ので高強度アルミニウム合金から成ることを特徴とする、請求項１記載の高強度アルミニウム合金から成る太陽エネルギーモジュールフレーム。